(57)【特許請求の範囲】
【請求項１】
ベース体（1）の上に長方形の駆動プレート(3)・(3′)を交差して配置すると共に、その交差方向に進退させるためのラックアンドピニオンギヤ一機構(4)を各駆動プレートの片側に設け、且つ前記交差する両駆動プレートの上に移動駒プレート(5)を載置して両駆動プレートのガイド部材(6)によってスライドできるように掛止し、前記の移動駒プレート(5)の上に十字ライン表示(8)をつけたトップテーブル(7)を載置してねじ(9)で固定し、且つその移動駒プレートとトップテーブル(7)に当該トップテーブルを回転方向に調節するための回転調節機構(10)を設けたことを特徴とするレーザー光線利用の寸取基準器の移動装置。
【請求項２】
トップテーブル(7)の上に装着した寸取基準器本体(20)の平面が敷居の上っ面寸法である請求項1記載のレーザー光線利用の寸取基準器の移動装置。
【発明の詳細な説明】
【０００１】
【産業上の利用分野】
本発明はレ−ザ−光線利用の寸取基準器の移動装置及びその寸取基準器の移動方法に関するもので、一般住宅において、部屋内に畳を敷く際に寸法取りを行うために測定するものである。
【０００２】
【従来の技術】
従来、レ−ザ−光線方向を左右に移動して位置調整する寸取基準器は存在している。そして、その寸取基準器をねじ駆動により移動ノブを１回転で数ｍｍ移動し、三方向の１個所を除く２個所を手動でスライドして行い、且つ本体の高さが７０ｍｍ以上の高さを有していた。
【０００３】
【発明が解決しようとする課題】
ところが、前記従来から知られているレ−ザ−光線を利用した寸取基準器の位置調整は、ねじ駆動で行うため、移動ノブを１回転しても数ｍｍしか移動せず、測定タ−ゲット（印）までレ−ザ−光線の発射方向を変える際に時間が掛り、しかも三方向の１個所だけで、あとの２個所は手動でスライドしなければならないので手間がかかって面倒である。また、本体の高さが７０ｍｍ以上あるため本体平面の十字ラインセンタ−が計測できず不便である等の課題があった。
【０００４】
【課題を解決するための手段】
そこで本発明は、従来の課題を解決し、且つ発明の目的を達成するために提供するものである。
本発明の第１は、レ−ザ−光線利用の寸取基準器の移動装置において、ベ−ス体の上に長方形の駆動プレ−トを交差して配置すると共に、その交差方向に進退させるためのラックアンドピニオンギヤ−機構を各駆動プレ−トの片側に設け、且つ前記交差する両駆動プレ−トの上に移動駒部材を載置して駆動プレ−トのガイド部材によって滑動できるように掛止し、前記の移動駒プレ−トの上に十字ライン表示をつけたトップテ−ブルを載置してねじで固定し、且つその移動駒プレ−トとトッププレ−トに当該トッププレ−トを回転方向に調節するための回転調節機構を設けたものである。
本発明の第２は、レ−ザ−光線利用の寸取基準器の移動装置において、トッププレ−トの上に装着したレ−ザ−光線利用の寸取基準器本体の平面が敷居の上っ面寸法になるように構成したものである。
本発明の第３は、レ−ザ−光線利用の寸取基準器の移動方法において、レ−ザ−光線寸取基準器本体を畳敷きする室内の所定場所に置き、３個所の測定タ−ゲットに寸取基準器本体自体を動かさない状態でレ−ザ−光線の発射方向を回転、前後、左右、斜めの方向に進退移動することにより三方合わせを瞬時に行うようにしたものである。
【０００５】
【作用】
上記手段に基づく作用は次の通りである。ベ−ス体に交差して配置した駆動プレ−トをラックアンドピニオン機構を操作すると、一方の駆動プレ−トが横（Ｘ軸）方向に、他方の駆動プレ−トが縦（Ｙ軸）方向に進退移動する。また、両駆動プレ−ト側のラックアンドピニオン機構を同時に操作することにより斜め（ＸＹ）方向に進退調節する。そして、両駆動プレ−ト上の移動駒部材はガイド部材を介し駆動プレ−トの進退移動に従って移動調節される。
次いで、移動駒プレ−トに固着されているトッププレ−ト上に、平面に十字ライン表示を設けた寸取り基準器を載せると共に両十字ライン表示の位置を合致させる。
この状態で、レ−ザ−寸取基準器を部屋の広さに応じた設定場所に置いてから水平を出す。この場合、床板が歪んでいる場合は、ベニヤ板等を敷いて本体を安定させる。
次に、寸取基準器をスイッチオンにしてレ−ザ−光線を十字方向に照射して敷居の内側側面に縦線状に照射して所定順番で採寸を行う。
続いて、部屋の中央部位に動かし難い障害物がある場合は、その四隅の１個所に当該基準器を配置すると共に、直角割り出し部材を敷居の内角を挟んだ二辺の内側側面に当接して十字ラインの方向を敷居と平行になるように載置する。
そして、トッププレ−トの回転調節機構を操作しながら三方向のうち、トウシモノの２個所を合わせる。
さらに、ウワマエ１個所を左右駆動プレ−トの進退調節機構を操作して合わせることによって合計３個所の位置決め作業が終了する。
そして、レ−ザ−光線による寸取り作業を終了したときは、寸取基準器本体をトッププレ−トから取外す。そして、前記の寸取基準器を取外してもレ−ザ−光線による寸取り位置が判明しているので、トッププレ−トの十字ライン表示によって低い位置でスケ−ル（寸取尺）を使って敷居の内面の寸取り位置の測定を行う。
【０００６】
【実施例】
次に本発明の実施例を図面を以て説明する。図１は本発明に係るレ−ザ−光線利用の寸取基準器の移動装置に寸取基準器を搭載した状態の正面図、図２は寸取基準器を除去した状態の平面図、図３は図２の３−３線に沿う断面図、図４は底面図、図５はトッププレ−トの平面図、図６は本体ベ−スの平面図、図７は駆動プレ−トを横（Ｘ軸）方向に進退移動した状態の平面図、図８は駆動プレ−トを縦（Ｙ軸）方向に進退移動した状態の平面図、図９は交差する駆動プレ−トを斜め（ＸＹ）方向に進退移動した状態の平面図、図１０は図１の寸取基準器を六畳間において三方向のうち、トウシモノ２個所を合わせた状態の平面図、図１１は図１の寸取基準器を六畳間において、ウワマエ１個を調整して３個所の位置決めをした状態の平面図、図１２は寸取基準器の十字ライン表示にスケ−ルを当てて計測する斜視図、図１３は寸取基準器を除去してトップテ−ブルの十字ライン表示にスケ−ルを当てて計測する斜視図、図１４は八畳間の中心付近に固定荷がある場合において寸取基準器による測定状態を示す概略平面図である。
【０００７】
「寸取基準器の移動装置の実施例」
図において、１はプレ−ト形のベ−ス体、３・３′はベ−ス体の上に十字方向に直角に交差して配置した長方形の駆動プレ−トであり、ベ−ス体１にあけたガイド溝１６にセットビス１７でスライドできるように取付けてある。
前記駆動プレ−トは、その交差部を互いに厚さ方向の半分を削って凹部３１を形成し、両者を重ねたときに両駆動プレ−トの平面が同一面になるように形成してある。
４は十字方向に交差して配置した駆動プレ−ト３・３′をそれぞれ横（Ｘ軸）及び縦（Ｙ軸）方向に進退移動させるためのラックアンドピニオン機構であり、駆動プレ−ト側にラックギヤ−４１を設け、ベ−ス体１側にピニオンギヤ−４２を設けてあり、そのピニオンギヤ−にはダイヤル摘み４３が一体に成形されている。
前記の進退調節機構による最大移動量は、各駆動プレ−ト３・３′の縦横における前進Ｌ＝１０ｍｍ、後退Ｌ′＝１０ｍｍとし、斜め方向における前進Ｌ＝１４ｍｍ、後退Ｌ′＝１４ｍｍに設定してある。
５は駆動プレ−ト３・３′の交差部位の上に載置したプレ−ト形の移動駒プレ−トであり、駆動プレ−ト３・３′の平面において、当該駆動プレ−トに取付けたガイド部材６によって移動駒プレ−トの縁辺５１をスライドできるように掛止してある。
７はトップテ−ブルであり、その平面に直角の十字ライン表示８を刻設してあり、移動駒プレ−ト５にスペ−サ−１５を介在して載置し、且つその中心をねじ９で回転できるように取付けてある。前記のトップテ−ブル７からベ−ス体１までの高さはＨ′は２０ｍｍ程度に設定してある。
１０はトップテ−ブル７をねじ９を中心にして回転方向に移動調節できるようにした回転機構であり、移動駒プレ−ト５に軸受部材１０1 を取付け、その軸受部材１０1 に摘み付きねじ軸１０2 をねじ込み、トップテ−ブル７の下面に垂下した軸１０3 と前記の軸受部材１０1 に引っ張りバネ１０4 を張設し、当該トップテ−ブルの下面に垂下したストッパ−１０5 に前記摘み付きねじ軸の先端を当接してある。なお、図示例にあっては、前後方向に最大各３°程度の移動量に設定してある。
１１はベ−ス体１にあけた寸取基準器の三脚用通し穴、１２はトップテ−ブル７にあけた寸取基準器の三脚用通し穴である。
１３は駆動プレ−ト３・３′の進退移動をガイドするためのピンロ−ラであり、補助ガイド部材１３′と併用して前記駆動プレ−トの側面に配置してある。
１４はベ−ス体の下面に突設した三脚であり、ベ−ス体上面の摘みによって高さ調節ができるようになっている。なお、三脚の接地部からベ−ス体１の下面までの高さＨ″は３〜６ｍｍに程度になっている。図中Ｐは隣接する畳Ｔの合わせ目に差し込んだプレ−トを示す。
【０００８】
「寸取基準器の実施例」
図１において、２０は寸取基準器本体であり、その中心部から四方の直角方向に向けて照射するためのレ−ザ−光線発光源ランプ２１を内蔵してある。前記寸取基準器本体の大きさは、直径Ｒ＝１４９ｍｍ、高さＨ＝５７〜６５ｍｍの範囲に設定できるようにする。２２はその発光源からのレ−ザ−光線を透過するための透光窓であり、当該窓にシリントリガルレンズをはめ込まれている。
２３は発光源用の乾電池スペ−ス、２４は乾電池、２５は基準器本体の金属製ケ−ス２０1 の平面に表示した直角の十字ライン、２６・２６は基準器本体の側面に設けた直角割り出し部材であり、当該割り出し部材を敷居の内角二辺に当接することによって直角を割り出す。前記一対の割り出し部材当接面は、その平坦面同士で直角が出るようにするために適度の平坦面積２６1 ・２６1を有している。そして、前記割り出し部材は両者とも平坦面積２６1 ・２６1が寸取基準器本体の中心から同一距離に設定してある。
【０００９】
【具体的な使用例】
上記実施例による具体的な使用手順を説明すると以下の通りである。まずラックアンドピニオンギヤー機構４（ラックギヤー４１・ピニオンギヤー４２）を摘み４３を介して操作すると、ベース体１上に交差して配置した駆動プレート３・３′のうち、一方の駆動プレート３が横（Ｘ軸）方向に進退移動し（図７）、他方の駆動プレート３′が縦（Ｙ軸）方向に進退移動する（図８）。また、両駆動プレート３・３′のラックアンドピニオンギヤー機構４・４を同時に操作することにより斜め（ＸＹ）方向に進退調節する（図９）。そして、両駆動プレート上の移動駒プレート５は、ガイド部材６を介し駆動プレート３・３′の進退移動に従って横・縦・斜めの方向に移動する。本発明装置を利用した寸取基準器の使用法は、まず、移動駒プレート５に固着されているトッププレート７上に、平面に十字ライン表示２１を設けた寸取基準器２０を載せると共に両十字ライン表示８・２５の位置を合致させる。この状態で、レーザー寸取基準器を部屋の広さに応じた設定場所に置いてから水平を出す。この場合、床面Ｂが歪んでいる場合は、ベニヤ板等を敷いて本体を安定させる。次に、寸取基準器をスイッチオンにしてレーザー光線を十字方向に照射して敷居の内側側面に縦線状に照射し、所定の順番で採寸を行う。本発明に係る移動装置を利用した寸取基準器の測定法は、本願出願人が先に提供した特開平７−７１９１９号公報（「特許第３１７７０７３号」登録日：平成１３年４月６日）に示す通りであるが、六畳間を例にしたとき、まず回転調節機構１０と駆動プレート３・３′のラックアンドピニオンギヤー機構４・４を同時的に操作調整しながら三方向のうち、トウシモノ２個所α・βを合わせる（図１０）。次に、ウワマエ１個所をラックアンドピニオンギヤー機構４を操作して３個所の位置決め作業を終了する（図１１）。寸取作業をする際において、スケール（寸取尺）Ｓにレーザー光線を放射して計測するが、寸取基準器本体２０の近くで計測する際、寸取基準器本体の平面のレーザー方向十字ライン表示２５と中心点で直接敷居Ｃのウワヅラ寸法を計測する（図１２）。さらに、旧床の入れ替え作業の際、畳の上に寸取基準器本体２０を置き、固定ピンで固定した後に寸取り作業を行う。そして、レーザー光線による寸取り作業は、寸取基準器本体２０をトップテーブル７から取り外す。そして、前記寸取基準器を取外してもレーザー光線による寸取り位置が判明しているので、トップテーブル７の十字ライン表示８によって低い位置でスケール（寸取尺）Ｓを使って隣接する畳Ｔの合わせ目に差し込んだプレートＰに当てて寸取り測定を行う（図１３）。続いて、部屋の中央部位に固定荷Ｗのように動かし難い障害物がある場合は、その四隅の１個所に当該基準器を配置すると共に、直角割り出し部材２６・２６を敷Ｃの内角を挟んだ二辺の内側側面に当接して十字ライン表示２５の方向を敷居Ｃと平行になるように載置する。そして、回転調節機構１０を使って寸取基準器本体２０を回転調節し、その本体の十字ライン表示２５の中心から９０．９０９ｍｍ（＝３寸）と、一方の敷居Ｃの内角寸法を、同一寸法にすることによって、２個所の位置決め作業を終了する（図１４）。
【００１０】
【発明の効果】
本発明は上記の構成であるから、通常の部屋における畳の寸取りを行うことができることはもちろんのこと、部屋の中央部に固定荷等の障害物がある場合は、部屋の一隅に基準器本体を載置すると共に、直角割り出し部材を内角二辺に当接することにより、簡単且つ正確に採寸することができる。
そして、レ−ザ−光線のうち、回転方向は回転調節機構によるねじ駆動によって行い、また前後、左右、斜めの移動はラックアンドピニオンギヤ−機構の操作で駆動プレ−トを進退移動調節することにより、瞬時的に、しかも正確に３個所のタ−ゲットに合わせることができる。
また、横・縦・斜め及び回転方向に移動調節できるトップテ−ブルに十字ラインの表示が入っているから、本体を脱着することにより旧床の測定の際、より低い所での正確な測定が可能となる。
【図面の簡単な説明】
【図１】本発明に係るレ−ザ−光線利用の寸取基準器を搭載した移動装置の正面図である。
【図２】寸取基準器本体を除去した状態の平面図である。
【図３】図２の３−３線に沿う断面図である。
【図４】底面図である。
【図５】トップテ−ブルの平面図である。
【図６】ベ−ス体の平面図である。
【図７】駆動プレ−トを横（Ｘ軸）方向に進退移動した状態の平面図である。
【図８】駆動プレ−トを縦（Ｙ軸）方向に進退移動した状態の平面図である。
【図９】交差する駆動プレ−トを斜め（ＸＹ）方向に同時に進退移動した状態の平面図である。
【図１０】図１の寸取基準器を六畳間において三方向のうち、トウシモノ２個所を合わせた状態の平面図である。
【図１１】図１の寸取基準器を六畳間において、１個を調整して３個所の位置決めをした状態の平面図である。
【図１２】寸取基準器の十字ライン表示にスケ−ルを当てて計測する斜視図である。
【図１３】寸取基準器を除去してトップテ−ブルの十字ライン表示にスケ−ルを当てて計測する斜視図である。
【図１４】八畳間の中心付近に固定荷がある場合において寸取基準器による測定状態を示す概略平面図である。
【符号の説明】
１  ベ−ス体
３・３′  駆動プレ−ト
４  ラックアンドピニオンギヤ−機構
５  移動駒プレ−ト
６  移動駒プレ−トのガイド部材
７  トップテ−ブル
８  十字ライン表示
９  トップテ−ブルの取付けねじ
１０  トップテ−ブルの回転機構
１１  ベ−ス体の寸取基準器の三脚通し穴
１２  トップテ−ブルの寸取基準器の三脚通し穴
１３  駆動プレ−トのガイドピンロ−ラ−
１４  ベ−ス体の三脚
１５  スペ−サ−
１６  ベ−ス体のガイド溝
１７  セットビス
２０  寸取基準器本体
２１  レ−ザ−光線発光源ランプ
２２  レ−ザ−光線透光窓
２３  乾電池スペ−ス
２４  乾電池
２５  直角の十字ライン
２６  直角割り出し部材
Ａ  部屋
Ｂ  床板
Ｃ  敷居
【図１】
0003694115.tif 000002
【図２】
0003694115.tif 000003
【図３】
0003694115.tif 000004
【図４】
0003694115.tif 000005
【図５】
0003694115.tif 000006
【図６】
0003694115.tif 000007
【図７】
0003694115.tif 000008
【図８】
0003694115.tif 000009
【図９】
0003694115.tif 000010
【図１０】
0003694115.tif 000011
【図１１】
0003694115.tif 000012
【図１２】
0003694115.tif 000013
【図１３】
0003694115.tif 000014
【図１４】
0003694115.tif 000015